(57)【要約】【課題】携帯端末機の背景画面を編集することができる携帯端末機の画面編集装置及びその方法を提供する。【解決手段】本発明の携帯端末機の画面編集装置は、背景画面の領域編集モードで選択された固定領域を表示する表示部と、前記背景画面に複数のアプリケーションを有する固定領域を表示するように表示部を制御する制御部と、を備える。【選択図】図３
2013131219.tif 000002
【特許請求の範囲】
【請求項１】
携帯端末機の画面編集装置であって、
背景画面の領域編集モードで選択された固定領域を表示する表示部と、
前記背景画面に複数のアプリケーションを示す前記固定領域を表示するように制御する制御部と、を備えることを特徴とする携帯端末機の画面編集装置。
【請求項２】
前記制御部は、
背景画面の領域編集モードで、背景画面として選択されたイメージから選択された領域を前記固定領域として設定し、
前記背景画面に前記固定領域を表示するように制御することを特徴とする請求項１に記載の携帯端末機の画面編集装置。
【請求項３】
前記制御部は、
背景画面の領域編集モードで、背景画面の選択された領域を複数のアプリケーションを示す前記固定領域として設定し、
背景画面モードで背景画面を表示する際に、前記複数のアプリケーションを示す前記固定領域を表示するように制御することを特徴とする請求項１に記載の携帯端末機の画面編集装置。
【請求項４】
前記制御部は、
前記携帯端末機の待機モードが前記背景画面を表示する複数の初期画面で構成される場合、前記複数の初期画面の各々に移動する毎に、前記固定領域を表示するように制御することを特徴とする請求項１に記載の携帯端末機の画面編集装置。
【請求項５】
前記制御部は、
前記携帯端末機の複数のアプリケーション又はウィジェットのうちの少なくとも一つを示す前記背景画面の固定領域を表示するように制御することを特徴とする請求項１に記載の携帯端末機の画面編集装置。
【請求項６】
前記制御部は、
前記携帯端末機に該当アプリケーションをダウンロードする場合、該当アプリケーションをダウンロードして前記背景画面の固定領域に表示するように制御することを特徴とする請求項１に記載の携帯端末機の画面編集装置。
【請求項７】
前記制御部は、
前記固定領域に表示される該当アプリケーションの数によって、前記固定領域のサイズを可変的に変更するか又は使用頻度によって該当アプリケーションを削除するように制御することを特徴とする請求項１に記載の携帯端末機の画面編集装置。
【請求項８】
携帯端末機の画面編集方法であって、
携帯端末機の待機モードで背景画面を表示するステップと、
背景画面の領域編集モードで選択された複数のアプリケーションを示す前記背景画面の固定領域を表示するステップと、を有することを特徴とする携帯端末機の画面編集方法。
【請求項９】
背景画面設定モードで背景画面のイメージを選択するステップと、
背景画面の領域編集モードで、前記背景画面のイメージから選択された領域を前記背景画面の固定領域として設定するステップと、を更に含むことを特徴とする請求項８に記載の携帯端末機の画面編集方法。
【請求項１０】
前記背景画面の固定領域が設定された後、前記固定領域のアプリケーションが選択される複数のアプリケーションを表示するステップと、
前記複数のアプリケーションのうちの少なくとも一つが選択された場合、背景画面モードの際に、前記選択されたアプリケーションを前記背景画面の固定領域に表示されるアプリケーションとして設定するステップと、を更に含むことを特徴とする請求項９に記載の携帯端末機の画面編集方法。
【請求項１１】
前記携帯端末機の待機モードが前記背景画面を表示する複数の初期画面で構成される場合、前記複数の初期画面の各々に移動する毎に、前記固定領域を表示することを特徴とする請求項８に記載の携帯端末機の画面編集方法。
【請求項１２】
前記携帯端末機の複数のアプリケーションのうちの該当アプリケーションの背景画面表示が選択された場合、前記背景画面の固定領域が選択されると、前記背景画面の固定領域に該当アプリケーションを表示するステップを更に含むことを特徴とする請求項８に記載の携帯端末機の画面編集方法。
【請求項１３】
前記携帯端末機に該当アプリケーションをダウンロードする場合、前記背景画面の固定領域が選択されると、該当アプリケーションをダウンロードして前記背景画面の固定領域に表示するステップを更に含むことを特徴とする請求項８に記載の携帯端末機の画面編集方法。
【請求項１４】
前記固定領域に表示される該当アプリケーションの数によって、前記固定領域のサイズを可変的に変更するか又は使用頻度によって該当アプリケーションを削除することを特徴とする請求項８に記載の携帯端末機の画面編集方法。
【発明の詳細な説明】
【技術分野】
【０００１】
本発明は、携帯端末機の画面編集装置及びその方法に関し、より詳細には、携帯端末機の背景画面を編集することができる携帯端末機の画面編集装置及びその方法に関する。
【背景技術】
【０００２】
携帯端末機の待機モードでは背景画面が表示され、該当背景画面には当該アプリケーションを示すアイコンを表示している。
【０００３】
携帯端末機の待機モードは大部分が複数の初期画面で構成され、複数の初期画面には当該背景画面が表示される。そして複数の初期画面の各々では、携帯端末機の複数のアプリケーションのうち、ユーザーにより選択された異なるアプリケーションを示すアイコンが表示されている。
【０００４】
このように、携帯端末機の待機モードでは、複数の初期画面の各々に異なるアプリケーションを示すアイコンを表示することから、ユーザーは所望のアプリケーションを選択するために当該初期画面に移動しなければならない不便さがあった。
【先行技術文献】
【特許文献】
【０００５】
【特許文献１】米国特許出願公開第２００５／０１３０６１４号明細書
【発明の概要】
【発明が解決しようとする課題】
【０００６】
本発明は、上記従来の問題点に鑑みてなされたものであって、本発明の目的は、携帯端末機の背景画面を編集することができる携帯端末機の画面編集装置及びその方法を提供することにある。
また、本発明の目的は、携帯端末機に表示される初期画面の種類に関係なく、背景画面にユーザーにより選択された固定領域を常に表示することができる携帯端末機の画面編集装置及びその方法を提供することにある。
【課題を解決するための手段】
【０００７】
上記目的を達成するためになされた本発明による携帯端末機の画面編集装置は、背景画面の領域編集モードで選択された固定領域を表示する表示部と、前記背景画面に複数のアプリケーションを示す前記固定領域を表示するように制御する制御部と、を備えることを特徴とする。
【０００８】
前記制御部は、背景画面の領域編集モードで、背景画面として選択されたイメージから選択された領域を前記固定領域として設定し、前記背景画面に前記固定領域を表示するように制御し得る。
前記制御部は、背景画面の領域編集モードで、背景画面の選択された領域を複数のアプリケーションを示す前記固定領域として設定し、背景画面モードで背景画面を表示する際に、前記複数のアプリケーションを示す前記固定された領域を表示するように制御し得る。
前記制御部は、前記携帯端末機の待機モードが前記背景画面を表示する複数の初期画面で構成される場合、前記複数の初期画面の各々に移動する毎に、前記固定領域を表示するように制御し得る。
前記制御部は、前記携帯端末機の複数のアプリケーション又はウィジェットのうちの少なくとも一つを示す前記背景画面の固定領域を表示するように制御し得る。
前記制御部は、前記携帯端末機に該当アプリケーションをダウンロードする場合、該当アプリケーションをダウンロードして前記背景画面の固定領域に表示するように制御し得る。
前記制御部は、前記固定領域に表示される該当アプリケーションの数によって、前記固定領域のサイズを可変的に変更するか又は使用頻度によって該当アプリケーションを削除するように制御し得る。
【０００９】
上記目的を達成するためになされた本発明による携帯端末機の画面編集方法は、携帯端末機の待機モードで背景画面を表示するステップと、背景画面の領域編集モードで選択された複数のアプリケーションを示す前記背景画面の固定領域を表示するステップと、を有することを特徴とする。
【００１０】
前記画面編集方法は、背景画面設定モードで背景画面のイメージを選択するステップと、背景画面の領域編集モードで、前記背景画面のイメージから選択された領域を前記背景画面の固定領域として設定するステップと、を更に含むことができる。
前記画面編集方法は、前記背景画面の固定領域が設定された後、前記固定領域のアプリケーションが選択される複数のアプリケーションを表示するステップと、前記複数のアプリケーションのうちの少なくとも一つが選択された場合、背景画面モードの際に、前記選択されたアプリケーションを前記背景画面の固定領域に表示されるアプリケーションとして設定するステップと、を更に含むことができる。
前記携帯端末機の待機モードが前記背景画面を表示する複数の初期画面で構成される場合、前記複数の初期画面の各々に移動する毎に、前記固定領域を表示し得る。
前記画面編集方法は、前記携帯端末機の複数のアプリケーションのうちの該当アプリケーションの背景画面表示が選択された場合、前記背景画面の固定領域が選択されると、前記背景画面の固定領域に該当アプリケーションを表示するステップを更に含むことができる。
前記画面編集方法は、前記携帯端末機に該当アプリケーションをダウンロードする場合、前記背景画面の固定領域が選択されると、該当アプリケーションをダウンロードして前記背景画面の固定領域に表示するステップを更に含むことができる。
前記固定領域に表示される該当アプリケーションの数によって、前記固定領域のサイズを可変的に変更するか又は使用頻度によって該当アプリケーションを削除し得る。
【発明の効果】
【００１１】
本発明の携帯端末機の画面編集装置及びその方法によれば、携帯端末機の背景画面に、ユーザーにより選択された固定領域を常に表示することにより、携帯端末機のユーザーは、背景画面の所望の位置に固定領域を設定することができ、携帯端末機の待機モードで固定領域を介して所望のアプリケーション／ウィジェットを常に見ることができる、という効果がある。
【図面の簡単な説明】
【００１２】
【図１】本発明の一実施形態による携帯端末機の構成図である。
【図２】本発明の一実施形態による携帯端末機の背景画面に固定領域を設定する手順を示すフローチャートである。
【図３】本発明の一実施形態による携帯端末機において背景画面に表示される固定領域設定を説明する図である。
【発明を実施するための形態】
【００１３】
以下、本発明を実施するための形態の具体例を、図面を参照しながら詳細に説明する。図面における同様な構成要素に対しては、他の図面においても同様な参照番号及び符号を付ける。
【００１４】
図１は、本発明の一実施形態による携帯端末機の構成図である。
【００１５】
図１を参照すると、ＲＦ部１２３は、携帯端末機の無線通信機能を遂行する。ＲＦ部１２３は、送信信号の周波数をアップコンバートして増幅するＲＦ送信機と、受信信号を低雑音増幅して周波数をダウンコンバートするＲＦ受信機などを含む。データ処理部１２０は、送信信号を符号化及び変調する送信機、及び受信信号を復調及び復号化する受信機などを含む。即ち、データ処理部１２０は、モデム（ＭＯＤＥＭ）及びコーデック（ＣＯＤＥＣ）で構成される。ここで、コーデックは、パケットデータなどを処理するデータコーデックや音声などのオーディオ信号を処理するオーディオコーデックを含む。オーディオ処理部１２５は、データ処理部１２０のオーディオコーデックから出力される受信オーディオ信号を再生するか又はマイクロフォンから発生する送信オーディオ信号をデータ処理部１２０のオーディオコーデックに伝送する機能を遂行する。
【００１６】
キー入力部１２７は、数字及び文字情報を入力するためのキー及び各種機能を設定するための機能キーを含む。
【００１７】
メモリ１３０は、プログラムメモリ、データメモリで構成される。プログラムメモリは、携帯端末機の一般的な動作を制御するためのプログラム、及び本実施形態により、携帯端末機の背景画面にユーザーにより選択された固定領域を表示し、固定領域にユーザーにより選択されたアプリケーション／ウィジェットを示すアイコンを表示するように制御するプログラムを格納する。また、データメモリは、プログラムを遂行する間に発生するデータを一時的に格納する機能を遂行する。
【００１８】
また、メモリ１３０は、背景画面の領域編集モードでユーザーにより選択された固定領域に対する位置情報を格納する。
【００１９】
制御部１１０は、携帯端末機の全般的な動作を制御する機能を遂行する。
【００２０】
制御部１１０は、背景画面設定モードで背景画面として設定されるイメージが選択されると、背景画面の領域編集モードに切り替えて、該当イメージからユーザーにより選択された領域を固定領域として設定されるように制御する。背景画面の編集モードで、背景画面として選択されたイメージは複数の領域に区分されて表示され、複数の領域のうち、ユーザーのタッチ動作により選択された少なくとも一つの領域を固定領域として設定する。
【００２１】
また、制御部１１０は、背景画面の領域編集モードで、携帯端末機の複数のアプリケーションのうち、ユーザーにより選択されたアプリケーション／ウィジェットを固定領域のアプリケーション／ウィジェットとして設定されるように制御する。該当固定領域に、該当アプリケーションをアイコンで表示するように制御する。
【００２２】
また、制御部１１０は、携帯端末機の待機モードで、背景画面設定モードで選択されたイメージを背景画面として表示し、該当背景画面に、該当背景画面の領域編集モードで設定された固定領域を表示し、該当固定領域に、該当アプリケーション／ウィジェットを示すアイコンを表示するように制御する。
【００２３】
また、制御部１１０は、携帯端末機の待機モードが、背景画面を表示する複数の初期画面で構成される場合、複数の初期画面の各々に移動された場合に、該当アプリケーション／ウィジェットを示す固定領域を常に表示するように制御する。
【００２４】
また、制御部１１０は、携帯端末機の複数のアプリケーション／ウィジェットのうち、該当アプリケーション／ウィジェットが背景画面に表示される場合、ユーザーの選択により固定領域に表示されるように制御する。
【００２５】
また、制御部１１０は、携帯端末機に該当アプリケーションがダウンロードされる場合、ユーザーの選択により、該当アプリケーションがダウンロードされて固定領域にその状態が表示されるように制御する。
【００２６】
また、制御部１１０は、携帯端末機の待機モードで、背景画面の固定領域に表示される該当アプリケーション／ウィジェットの数が超過する場合、固定領域に表示される新たなアプリケーション／ウィジェットを示すアイコンを収容するために固定領域のサイズを可変的に変更するか又はユーザーによる使用頻度が少ないアプリケーションを削除するように制御する。
【００２７】
カメラ部１４０は、映像データを撮影し、撮影された光信号を電気信号に変換するカメラセンサーと、カメラセンサーで撮影されたアナログ映像信号をデジタルデータに変換する信号処理部とを含む。ここで、カメラセンサーは、ＣＣＤ又はＣＭＯＳセンサーであるものと仮定し、信号処理部は、ＤＳＰ（Ｄｉｇｉｔａｌ  Ｓｉｇｎａｌ  Ｐｒｏｃｅｓｓｏｒ）で具現することができる。また、該当カメラセンサー及び信号処理部は、一体型として具現してもよく、分離して具現してもよい。
【００２８】
映像処理部１５０は、カメラ部１４０から出力された映像信号を表示部１６０に表示するためのイメージ信号処理（Ｉｍａｇｅ  Ｓｉｇｎａｌ  Ｐｒｏｃｅｓｓｉｎｇ：ＩＳＰ）を実行し、ＩＳＰは、ガンマ校正、補間、空間的変化、イメージ効果、イメージスケーリング、ＡＷＢ（Ａｕｔｏｍａｔｉｃ  Ｗｈｉｔｅ  Ｂａｌａｎｃｅ）、自動露出（Ａｕｔｏｍａｔｉｃ  Ｅｘｐｏｓｕｒｅ：ＡＥ）、及び自動焦点（Ａｕｔｏｍａｔｉｃ  Ｆｏｃｕｓ：ＡＦ）などのような機能を遂行する。従って、映像処理部１５０は、カメラ部１４０から出力された映像信号をフレーム単位で処理し、フレーム映像データを表示部１６０の特性及びサイズに合わせて出力する。
【００２９】
好ましくは、映像処理部１５０は、映像コーデック（ＣＯＤＥＣ）を含み、表示部１６０上に表示されるフレーム映像データを所定の方式で圧縮するか又は圧縮されたフレーム映像データを元来のフレーム映像データに復元する機能を実行する。ここで、映像コーデックは、  ＪＰＥＧ（Ｐｈｏｔｏｇｒａｐｈｉｃ  Ｅｘｐｅｒｔｓ  Ｇｒｏｕｐ）コーデック、ＭＰＥＧ４（Ｍｏｖｉｎｇ  Ｐｉｃｔｕｒｅ  Ｅｘｐｅｒｔｓ  Ｇｒｏｕｐ  ４）コーデック、ウェーブレット（Ｗａｖｅｌｅｔ）コーデックなどを含む。
【００３０】
映像処理部１５０は、オンスクリーンディスプレー（Ｏｎ  Ｓｃｒｅｅｎ  Ｄｉｓｐｌａｙ：ＯＳＤ）機能を備えるものと仮定し、制御部１１０の制御の下に表示される画面のサイズに従ってオンスクリーンディスプレーデータを出力する。
【００３１】
表示部１６０は、映像処理部１５０から出力された映像信号を画面上に表示し、制御部１１０から出力されたユーザデータを表示する。ここで、表示部１６０は、液晶ディスプレイ（Ｌｉｑｕｉｄ  Ｃｒｙｓｔａｌ  Ｄｉｓｐｌａｙ：ＬＣＤ）で構成することができる。この場合、表示部１６０は、ＬＣＤ制御部、映像データを格納するためのメモリ、及びＬＣＤ素子などを含む。ここで、ＬＣＤをタッチスクリーン方式で具現する場合に、入力部として機能し、この場合、表示部１６０にはキー入力部１２７のようなキーを表示する。
【００３２】
本実施形態において、表示部１６０は、携帯端末機の待機モードで、背景画面に固定領域を表示し、固定領域に該当アプリケーション／ウィジェットを示すアイコンを表示する。
【００３３】
図２及び図３を参照して携帯端末機の背景画面に固定領域を設定する動作について、詳細に説明する。
【００３４】
図２は、本発明の一実施形態による携帯端末機の背景画面に固定領域を設定する手順を示すフローチャートであり、図３（Ａ）〜（Ｅ）は、本発明の一実施形態による携帯端末機において背景画面に表示される固定領域設定を説明する図である。
【００３５】
以下、本発明の一実施形態について図１を参照しながら詳細に説明する。
【００３６】
図２を参照すると、携帯端末機の背景画面設定モードであるステップ２０１で、携帯端末機に格納された複数のイメージのうち、背景画面として使われるイメージが選択されると、制御部１１０は、ステップ２０２でこれを感知し、背景画面として選択されたイメージを表示するステップ２０３に進行する。図３（Ａ）は、背景画面として選択されたイメージを示している。
【００３７】
ステップ２０３で、背景画面として選択されたイメージが表示されている間に、背景画面の領域編集モードが選択されると、制御部１１０は、ステップ２０４でこれを感知し、背景画面の領域編集モードに切り替える。背景画面の領域編集モードで、制御部１１０は、背景画面として選択されたイメージを複数の領域に区分する。図３（Ｂ）は、背景画面の領域編集モードで、複数の領域に区分された背景画面として選択されたイメージを示している。
【００３８】
制御部１１０は、複数の領域に区分された背景画面として選択されたイメージからユーザーのタッチ動作により少なくとも一つの特定領域が選択されると、ステップ２０５で、選択された少なくとも一つの特定領域を背景画面の固定領域として設定する。
【００３９】
制御部１１０は、背景画面の固定領域に対する設定が完了した後に、固定領域に表示されるアプリケーション／ウィジェットの設定が選択されると、ステップ２０６で、携帯端末機の複数のアプリケーション／ウィジェットを表示する。
【００４０】
携帯端末機の複数のアプリケーション／ウィジェットのうち、少なくとも一つのアプリケーション／ウィジェットが選択されると、制御部１１０は、ステップ２０７で、選択された少なくとも一つのアプリケーション／ウィジェットを、設定された背景画面の固定領域に表示されるアプリケーション／ウィジェットとして設定する。
【００４１】
図３（Ｂ）を参照すると、背景画面として選択されたイメージの複数の領域（１領域〜１８領域）のうち、ユーザーのタッチ動作により、１〜３領域が背景画面の固定領域として選択され、図３（Ｃ）のような複数のアプリケーションのうち、アラームアプリケーション（「Ｃｌｏｃｋ」）、音楽アプリケーション（「Ｍｕｓｉｃ」）、カメラアプリケーション（「Ｃａｍｅｒａ」）の選択が完了すると、携帯端末機の待機モードの初期画面では、図３（Ｄ）のように固定領域３０２ａが設定された背景画面３０１を表示する。図３（Ｄ）のように、初期画面には選択されたイメージが背景画面３０１として表示され、背景画面３０１で、ユーザーにより設定された固定領域３０２ａには、アラームアプリケーション、音楽アプリケーション、及びカメラアプリケーションの各々を示すアイコン３０３が表示される。
【００４２】
或いは、図３（Ｂ）において、背景画面として選択されたイメージの複数の領域（１領域〜１８領域）のうち、ユーザーのタッチ動作により、１、４、７、１０領域が背景画面の固定領域として選択され、図３（Ｃ）のような複数のアプリケーションのうち、アラームアプリケーション、音楽アプリケーション、カメラアプリケーションの選択が完了すると、携帯端末機の待機モードの初期画面では、図３（Ｅ）のように固定領域３０２ｂが設定された背景画面３０１を表示する。図３（Ｅ）のように、初期画面には選択されたイメージが背景画面３０１に表示され、背景画面３０１で、ユーザーにより設定された固定領域３０２ｂには、アラームアプリケーション、音楽アプリケーション、及びカメラアプリケーションの各々を示すアイコン３０３が表示される。
【００４３】
図２の手順を通じて背景画面の固定領域が設定されると、携帯端末機の待機モードでは、背景画面として設定されたイメージを表示し、背景画面のイメージの特定位置にユーザーにより選択された固定領域を表示し、固定領域には、ユーザーの所望に従って、ユーザーにより選択された該当アプリケーション／ウィジェットを示すアイコンを表示する。
【００４４】
固定領域は、背景画面に常に表示される領域であり、携帯端末機の待機モードが背景画面を表示する複数の初期画面で構成されるため、複数の初期画面の各々に移動する際も固定領域のアプリケーション／ウィジェットを示すアイコンは常に表示される。
【００４５】
また、携帯端末機の複数のアプリケーション／ウィジェットのうち、該当アプリケーション／ウィジェットに対する背景画面の移動が選択された場合、制御部１１０は、該当アプリケーション／ウィジェットを示すアイコンを次の背景画面の固定領域に表示する。
【００４６】
また、携帯端末機に該当アプリケーションのダウンロードが選択された場合、固定領域でダウンロードが選択されると、制御部１１０は、該当アプリケーションをダウンロードして背景画面の固定領域にその状態を表示する。
【００４７】
また、背景画面の固定領域に該当アプリケーション／ウィジェットの表示又は該当アプリケーションのダウンロードが選択された場合、固定領域に表示されるアプリケーション／ウィジェットの数が超過すると、制御部１１０は、固定領域のサイズを可変的に変更する。或いは、固定領域に表示されるアプリケーション／ウィジェットの数が超過すると、制御部１１０は、固定領域に表示されるアプリケーション／ウィジェットに対するユーザーの使用頻度によって使用頻度が最も低いアプリケーション／ウィジェットを削除する。
【００４８】
本発明の実施形態による上述の方法は、ハードウェア、ファームウェア、或いはＣＤ  ＲＯＭ、ＲＡＭ、フロッピー（登録商標）ディスク、ハードディスク、又は光磁気ディスクのような記録媒体に格納することができるソフトウェア又はコンピュータコードとして、或いは元来リモート記録媒体又は非一時的な機械的可読媒体上に記録され、ネットワークを介してダウンロードされてローカル記録媒体に格納されるコンピュータコードで具現することができ、これにより、ここで説明した方法は、一般的な用途のコンピュータ、特定のプロセッサ、プログラム可能なハードウェア、又はＡＳＩＣやＦＰＧＡのような専用のハードウェアを用いて記録媒体上に格納されるソフトウェアにより実行することができる。
【００４９】
コンピュータ、プロセッサ、マイクロプロセッサ制御部、又はプログラム可能なハードウェアは、コンピュータ、プロセッサ、又はハードウェアによりアクセスされて実行される際に、ここで説明した処理方法を実行するソフトウェア又はコンピュータコードを格納するか又は受信するメモリ構成要素、例えば、ＲＡＭ、ＲＯＭ、フラッシュなどを含む。
【００５０】
また、一般的な用途のコンピュータがここで説明した処理を実行するためのコードにアクセスする時に、コードの実行は、一般的な用途のコンピュータをここで説明した処理を実行するための特殊な用途のコンピュータに変えることができる。
【００５１】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００５２】
１１０  制御部
１２０    データ処理部
１２３    ＲＦ部
１２５    オーディオ処理部
１２７    キー入力部
１３０  メモリ
１４０    カメラ部
１５０    映像処理部
１６０  表示部
３０１    背景画面
３０２ａ、３０２ｂ    固定領域
３０３    アイコン
【図１】
2013131219.tif 000003
【図２】
2013131219.tif 000004
【図３】
2013131219.tif 000005